(57)【特許請求の範囲】
【請求項１】
被測定試料を収容した測定セルの振動周期と校正パラメータとから被測定試料の密度を演算する制御装置を備えた振動式密度計であって、
上記測定セルの先端付近に配置した温度センサと、上記測定セルの根元付近に配置した温度センサを備え、上記制御装置が、上記測定セルの先端付近に配置した温度センサで検出した測定セルの先端付近の温度に基づいて上記測定セル内の被測定試料の温度を設定温度に保つとともに、密度演算時に、上記測定セルの根元付近に配置した温度センサにより検出した測定セルの節温度での校正パラメータを算出して被測定流体の密度を演算することを特徴とする振動式密度計。
【請求項２】
上記制御装置が、密度既知の二つの物質の種々の温度における振動周期と温度との関係に基づいて各温度での密度既知の二つの物質の振動周期を得、この振動周期から各温度での校正パラメータを算出することを特徴とする、上記請求項１に記載された振動式密度計。
【発明の詳細な説明】
【技術分野】
【０００１】
本発明は、振動式密度計に関し、特に、測定セル（振動子）への環境温度変化による影響を除去する機能を備えた振動式密度計に関する。
【背景技術】
【０００２】
振動式密度計は被測定試料を収容した測定セルを振動させて、測定した固有振動周期から被測定試料の密度を演算、出力する装置であり、例えば清涼飲料の濃度管理等の各種試料の密度測定に利用されている。
【０００３】
この振動式密度計は、例えば、ガラス製のＵ字型測定セルを備え、この測定セルの先端部に永久磁石を固定し、永久磁石に対向する位置に駆動コイルと検出部を内蔵した測定ヘッドを配置している。密度測定時には、測定セル内に被測定試料を導入し、測定ヘッドの駆動コイルに駆動電流を流して永久磁石に電磁力を作用させることにより測定セルを振動させ、検出部により検出した測定セルの固有振動周期から被測定試料の密度を求めている。
【０００４】
上記の振動式密度計は他の振動系と同様に、図４に示すように、バネ定数ｋと質量ｍで示すことができる。この振動系において、固有振動周期をＴとすると、
Ｔ＝√（ｍ／ｋ）
すなわち、
Ｔ２＝ｍ／ｋ
である。
質量ｍはガラス管の質量ｍｇｌａｓｓ、被測定試料の質量ｍｓａｍｐｌｅに分かれ、
Ｔ２＝（ｍｓａｍｐｌｅ＋ｍｇｌａｓｓ）／ｋ
であるので、被測定試料の質量ｍｓａｍｐｌｅは、
ｍｓａｍｐｌｅ＝ｋ・Ｔ２−ｍｇｌａｓｓ・・・（１）
となる。
【０００５】
上記の（１）式より被測定試料の密度ρｓａｍｐｌｅは、測定セルの容量をＶｃｅｌｌとすると、
ρｓａｍｐｌｅ＝ｍｓａｍｐｌｅ／Ｖｃｅｌｌ＝ｋ・Ｔ２／Ｖｃｅｌｌ−ｍｇｌａｓｓ／Ｖｃｅｌｌ
となる。ここで、ｋ／ＶｃｅｌｌをＫ１、−ｍｇｌａｓｓ／ＶｃｅｌｌをＫ２とすると、
ρｓａｍｐｌｅ＝Ｋ１・Ｔ２＋Ｋ２・・・（２）
で表すことができる。
【０００６】
次に、被測定試料の密度の算出方法について説明する。
既知の密度をもつ２種類の物質、例えば純水（ρＷＡＴＥＲ）と空気（ρＡＩＲ）を測定セルで測定した固有振動周期をＴＷＡＴＥＲ、ＴＡＩＲとすると、
ρＷＡＴＥＲ ＝Ｋ１・ＴＷＡＴＥＲ２
＋Ｋ２・・・（３）
ρＡＩＲ ＝Ｋ１・ＴＡＩＲ2 ＋Ｋ２・・・（４）
であり、上記式（３）、（４）より校正パラメータＫ１、Ｋ２は、
Ｋ１＝(ρＷＡＴＥＲ―ρＡＩＲ)／(ＴＷＡＴＥＲ２−ＴＡＩＲ２)・・・（５）
Ｋ２＝−ＴＡＩＲ２・（ρＷＡＴＥＲ―ρＡＩＲ)／(ＴＷＡＴＥＲ２−ＴＡＩＲ２)＋ρＡＩＲ・・・（６）
となる。
そして、純水と空気の測定温度での密度ρＷＡＴＥＲ及びρＡＩＲは既知であるので、純水と空気を測定した振動周期ＴＷＡＴＥＲ、ＴＡＩＲから上記校正パラメータＫ１、Ｋ２を算出することができ、上記の式（２）により被測定試料を測定した固有振動周期Ｔから被測定試料の密度ρｓａｍｐｌｅを求めることができる。
【０００７】
上記のようにして算出した校正パラメータＫ１、Ｋ２は、ある基準温度ｔ０の下での特定の２つの物質の密度及び固有振動周期に基づいて決定する定数であるので、この基準温度ｔ０と異なる温度の測定セルで被測定試料を測定した固有振動周期に基づいて被測定試料の密度を算出した場合には、真の値との誤差が生じる。
【０００８】
そのため、断熱材、サーモモジュール等の温度制御手段を用いて測定セルの温度を基準温度ｔ０ に保持するようにし、測定セルの温度が基準温度ｔ０になった時点での固有振動周期を測定するようにしている（例えば、特許文献１参照）。
【先行技術文献】
【特許文献】
【０００９】
【特許文献１】特開平６−５８８６２号公報
【発明の概要】
【発明が解決しようとする課題】
【００１０】
上記のような振動式密度計は、測定時間が短く、試料が少なくてすみ、かつ、高精度であるが、外気温度や試料温度の変化による測定セルへの温度影響があり、測定セル温度計の指示値が一定であっても、環境温度が変化した場合、元々ある測定セル内の温度分布が変化し、測定した振動周期が変化する。すなわち、完全に断熱された系（測定セル）では温度分布は存在しないが、通常の装置では、試料注入側の断熱性が不十分であり、測定セルの中心部から試料注入側にかけて、大きな温度分布が存在する。
このため、測定セル温度計の指示値が一定であっても、環境温度が変化した場合、元々ある測定セル内の温度分布が変化し、振動周期、密度指示値が変化する。
【００１１】
本発明は、上記の課題を解決するために創案されたものであり、外部温度変化、試料温度変化によりセル内温度分布が変化した場合の密度指示値への影響を除去することができる振動式密度計を提供することを目的とする。
【課題を解決するための手段】
【００１２】
図４の振動系において、バネ定数ｋと質量ｍの代表温度が常に一定であれば、振動周期は変化しないが、バネ定数または質量ｍの代表温度が変化すると、振動周期も変化する。そして、測定セルの一点で温度制御する場合、最も振動周期に影響の大きい質量ｍの代表温度で温度制御を行うが、この場合、バネ定数ｋの代表温度は外気温の影響を受ける。
この影響を除去する方法として、別途、バネ定数ｋの代表温度を温度制御する二点での温度制御、あるいは、温度とバネ定数ｋとの関係から得られる振動周期の補正が考えられるが、二点での温度制御は構造上難しいため、本発明では、振動周期の補正を実施する。
【００１３】
図５に示すように、振動式密度計の振動子において、質量ｍの代表温度は、先端から１／３付近であることが知られているため、この部分の温度をサーミスタで測定し、測定セルの温度制御を行う。一方、振動式密度計の振動子において、バネ定数ｋの代表温度は、節付近であるため、この部分の温度をサーミスタで測定し、振動周期の温度補正に使用する。
【００１４】
すなわち、上記の式（２）において、校正パラメータＫ２はガラス管の質量／測定セル容量であるので、バネ定数ｋの代表温度、質量ｍの代表温度から影響を受けにくいが、校正パラメータＫ１は、バネ定数ｋの代表温度により変化する。この影響を除去するために、バネ定数ｋの代表温度を使用して校正パラメータＫ１、Ｋ２を補正する。
【００１５】
言い換えると、バネ定数ｋの代表温度から校正パラメータＫ１、Ｋ２を決定するのが正しい方法であるが、今までは質量ｍの代表温度（校正時の設定温度）から校正パラメータＫ１、Ｋ２を決定していた不具合を修正するために、常時、バネ定数ｋの代表温度、すなわち、測定セルの節付近の温度を測定し、これにより校正パラメータＫ１、Ｋ２を決定する。
ただし、校正パラメータＫ１、Ｋ２の値は、予め作成した温度と校正パラメータＫ１、Ｋ２の表、あるいは、各温度の校正パラメータＫ１、Ｋ２を算出するための関数から抽出、または、算出する。
【発明の効果】
【００１６】
上記のように、環境温度が変化した場合の振動周期変化の要因として最も大きいものは、１番目にセル内部温度変化によるセル内試料の温度変化、２番目に測定セルの節部温度変化による校正パラメータＫ１、Ｋ２の変化であるが、本発明の振動式密度計によれば、セル部の代表点を一定温度にして測定セルの節付近の温度を測定し、これにより校正パラメータＫ１、Ｋ２を決定するので、外部温度変化、試料温度変化によりセル内温度分布が変化した場合の密度指示値への影響を除去することができる。
【図面の簡単な説明】
【００１７】
【図１】本発明の振動式密度計のセンサ部の構造を示す図である。
【図２】図１のセンサ部を取り付けた振動式密度計の概念図である。
【図３】空気と純水を種々の温度で測定した固有振動周期の二乗を温度に対してプロットしたグラフである。
【図４】振動式密度計の振動系をモデル化した図である。
【図５】振動式密度計のセルの模式図である。
【実施例１】
【００１８】
図１は本発明の振動式密度計のセンサ部の構造を示す図であり、図１（ａ）はセンサ部の側面図、図２（ｂ）はセンサ部の上面図である。このセンサ部は、測定セル１、永久磁石２、ホルダ３ａ、３ｂ、温度センサ４、ガラス製の外筒５により構成されている。
測定セル１は、肉厚０．２ｍｍ程度のガラスで作成した細いＵ字管であり、その先端部には永久磁石の薄板２が接着剤により固着されている。また、この測定セル１の基端部はホルダ３ａ、３ｂに固定され、このホルダ３ａ、３ｂは図１（ａ）に示すように、外筒５に設けられた突起６により固定されている。また、温度センサ４は、ガラス管の内部にサーミスタが挿入されたものであり、試料の温度及び測定セル１の節部の温度を測定する。このセンサ部は組み立て後、ヘリウム注入口７を介して内部にヘリウムが注入された後、封止される。
【００１９】
一方、図２は図１のセンサ部を取り付けた振動式密度計の概念図であり、センサ部が断熱材１１の内部に収容されるとともに、ペルチェ素子（図示せず）を備えた銅ブロック１２がセンサ部、すなわち、測定セル１内の被測定試料の温度を設定温度に保つように制御される。また、測定セル１の先端部に固定された永久磁石２に対向する位置に、駆動コイルと検出コイルを内蔵した測定ヘッド１３が配置されている。
【００２０】
また、図に示すように、温度センサ４のガラス管内には、二つのサーミスタ１４、１５が配置され、サーミスタ１４は測定セル１の先端付近の温度を測定し、サーミスタ１５は測定セル１の根元付近の温度、すなわち、節温度を測定する。
一方、測定セル１の一方の開口端は被測定流体を導入するサンプリングチューブ１６に接続され、他方の開口端は測定の完了した被測定流体を排出する排液チューブ１７に接続されている。
【００２１】
制御装置１８は、制御部２１、駆動部２２、検出部２３、表示部２４及び記憶部２５を備え、制御部２１には上記サーミスタ１４の温度検出出力が入力され、サーミスタ１４の温度が測定設定温度となるように、銅ブロック１２のペルチェ素子を制御する。また、駆動部２２は測定ヘッド１３の駆動コイルに駆動電流を流し、検出部２３は測定ヘッド１３の検出コイルの出力を検出して測定セル１の振動周期を検出する。さらに、制御部２１は、表示部２４に測定の設定画面や密度の測定値を表示するとともに、ユーザが設定した測定条件や検出した振動周期等を記憶部２５に記憶する。また、この記憶部２５には種々の温度での空気、純水の密度のデータを記憶したテーブルを備えている。
【００２２】
本発明では、環境温度補正、すなわち、測定セルの節温度を用いて校正パラメータを算出するが、以下、種々の温度での校正パラメータの算出方法について説明する。
まず、５℃、２０℃、５０℃、７０℃での純水、空気の振動周期ＴＷＡＴＥＲ、ＴＡＩＲを振動式密度計で測定する。
図３は測定した純水と空気の振動周期の二乗と温度との関係をプロットしたものであり、■が純水（WATER）、◆が空気（AIR）を測定した振動周期である。そして、図３の曲線は、下記式（７）、（８）に示すように、この振動周期の二乗と温度との関係を２次式の関数でフィッティングしたものであり、校正パラメータの算出に使用するため、この関数を制御装置１８の記憶部２５に記憶しておく。
ＴＡＩＲ、ｔ２＝ａＡＩＲ・ｔ２＋ｂＡＩＲ・ｔ＋ｃＡＩＲ・・・（７）
ＴＷＡＴＥＲ、ｔ２＝ａＷＡＴＥＲ・ｔ２＋ｂＷＡＴＥＲ・ｔ＋ｃＷＡＴＥＲ・・・（８）
【００２３】
そして、密度の演算時等には、上記の式（７）、（８）に所定の温度を入力することにより、その温度における空気、純水の振動周期が得られるので、式（５）、（６）にその値を代入することにより、各温度での校正パラメータＫ１ｔ、Ｋ２ｔを下記式により求めることができる。
Ｋ１ｔ＝(ρＷＡＴＥＲ―ρＡＩＲ)／(ＴＷＡＴＥＲ、ｔ２−ＴＡＩＲ、ｔ２)・・・（９）
Ｋ２ｔ＝−ＴＡＩＲ、ｔ２・（ρＷＡＴＥＲ―ρＡＩＲ)／(ＴＷＡＴＥＲ、ｔ２−ＴＡＩＲ、ｔ２)＋ρＡＩＲ・・・（１０）
【００２４】
次に、２０℃で被測定試料の密度を測定する場合の作用について説明する。
制御部１８は、上記したように、サーミスタ１４の温度検出出力が２０℃となるように、銅ブロック１２のペルチェ素子を制御するとともに、サンプリングチューブ１６を通じて測定セル１内に被測定試料を導入する。そして、制御装置１８の駆動部２２より測定ヘッド１３の駆動コイルに駆動電流を入力して永久磁石２に電磁力を作用させることにより、測定セル１に振動を開始させる。
このときの振動を測定ヘッド１３の検出コイルが検出して検出信号を検出部２３に入力し、この振動周期に同期した駆動信号を引き続き、測定ヘッド１３の駆動コイルに入力することにより、測定セル１を一定の周期で振動させ、固有振動周期ＴＳＡＭＰを測定する。このとき、測定セルの温度ｔＣＥＬＬ、節温度ｔＪＯＩＮＴもサーミスタ１４、１５の出力により取得する。
【００２５】
いま、例えば、測定セルの温度ｔＣＥＬＬ＝20.00℃、節温度ｔＪＯＩＮＴ＝20.01℃であった場合、被測定試料の密度を以下のようにして演算する。
制御部２１は、記憶部２５から読み出した上記式（７）、（８）のフィッティング式に20.01℃を入力してＴＡＩＲ、20.01℃２、ＴＷＡＴＥＲ、20.01℃２を算出し、この算出したＴＡＩＲ、20.01℃２、ＴＷＡＴＥＲ、20.01℃２を式（９）、（１０）に代入することにより、温度20.01℃での校正パラメータＫ１20.0１℃、Ｋ２20.01℃の値を求める。
【００２６】
そして、校正パラメータとして、上記のＫ１20.0１℃、Ｋ２20.01℃の値を使用し、振動周期として、上記のＴＳＡＭＰを使用することにより、制御部２１は、被測定試料の密度ρＳＡＭＰを以下の式により算出して表示部２４に表示する。
ρＳＡＭＰ＝Ｋ１20.01℃×ＴＳＡＭＰ２＋Ｋ２20.01℃
以上のように、測定セルの節温度に基づいて算出した校正パラメータを用いて被測定試料の密度を演算するので、外部温度変化、試料温度変化によりセル内温度分布が変化しても密度指示値への影響を除去することができる。
【００２７】
なお、上記の実施例では、純水と空気の振動周期の二乗と温度との関係を２次式の関数でフィッティングし、この関数から所望温度での純水と空気の振動周期の二乗を算出したが、振動式密度計の温度を様々に変えて、種々の温度における空気と純水の振動周期のデータを多数取得し、純水と空気の振動周期の二乗と温度との関係の表をテーブルとして記憶部２５に記憶しておき、この表から所望温度での純水と空気の振動周期の二乗を抽出することも可能である。
また、上記の実施例では、純水と空気の振動周期の二乗と温度との関係を２次式の関数でフィッティングしたが、純水、空気の振動周期を測定する温度の測定点数を増やすことにより、３次式、４次式等の多項式で純水と空気の振動周期の二乗と温度との関係をフィッティングすることも可能である。
【００２８】
さらに、以上の実施例では、測定セルの先端に取り付けた永久磁石に対向して配置される駆動コイル及び検出コイルよりなる測定ヘッドを備えた振動式密度計を例として説明したが、振動を光により検出するタイプの振動式密度計等の他の密度計にも、本発明の振動式密度計を適用することができる。
【符号の説明】
【００２９】
１  測定セル
２  永久磁石
３ａ、３ｂ  ホルダ
４  温度センサ
５  外筒
６  突起
７  ヘリウム注入口
１１  断熱材
１２  銅ブロック
１３  測定ヘッド
１４、１５  サーミスタ
１６  サンプリングチューブ
１７  排液チューブ
１８  制御装置
２１  制御部
２２  駆動部
２３  検出部
２４  表示部
２５  記憶部
【図１】
0005473455.tif 000002
【図２】
0005473455.tif 000003
【図３】
0005473455.tif 000004
【図４】
0005473455.tif 000005
【図５】
0005473455.tif 000006